(57)【要約】【課題】スイッチ操作時間に長短のばらつきがあっても不具合のない住宅用火災警報器を提供する。【解決手段】操作スイッチがオンされ、かつ火災検知回路が火災検知信号を出力しているときにタイマ回路を起動するとともに、操作スイッチの操作がオフになったときからタイマ時間が経過するまでの間は、警報回路からの警報出力を禁止保持する警報出力制御回路を備えた構成にしている。【選択図】図１
2004118435.tif 000002
【特許請求の範囲】
【請求項１】
操作スイッチと、熱や煙によって火災を検知し、火災検知信号を出力する火災検知回路と、火災検知回路からの火災検知信号を受けて警報を出力する警報回路と、予め設定されたタイマ時間を計時するタイマ回路とを備え、上記操作スイッチを操作し、その操作が解除された後、上記タイマ回路がタイマ時間を経過するまでの間は、上記警報回路からの警報出力を禁止保持するようにした住宅火災警報器において、
上記操作スイッチがオンされ、かつ上記火災検知回路が火災検知信号を出力しているときに上記タイマ回路を起動するとともに、上記操作スイッチの操作がオフになったときから上記タイマ時間が経過するまでの間は、警報回路からの警報出力を禁止保持する警報出力制御回路を備えた構成にしている住宅用火災警報器。
【請求項２】
請求項１において、
上記警報出力制御回路は、上記操作スイッチからのオン、オフ信号と、上記火災検知回路からの火災検知信号とを入力するタイマ起動回路と、上記操作スイッチからのオン、オフ信号と、上記タイマ回路からのタイマ保持信号とを入力する警報禁止保持回路とを組み合わせて構成されている住宅用火災警報器。
【請求項３】
請求項１、２のいずれかにおいて、
上記操作スイッチは、火災警報器のヘッド部に設けた引き紐の引き操作によって、オン、オフ状態に切替えられる構成にしている住宅用火災警報器。
【請求項４】
請求項１、２のいずれかにおいて、
上記操作スイッチは、火災警報器のヘッド部に設けた押しボタンの押圧操作によって、オン、オフ状態に切替えられる構成にしている住宅用火災警報器。
【請求項５】
請求項１、２のいずれかにおいて、
上記操作スイッチは、火災警報器のヘッド部に設けた自己復帰式のスライドスイッチの操作によって、オン、オフ状態に切替えられる構成にしている住宅用火災警報器。
【発明の詳細な説明】
【０００１】
【発明の属する技術分野】
本発明は、警報出力制御回路を備えた住宅用火災警報器の改良に関する。
【０００２】
【従来の技術】
従来より広く使用されている住宅用火災警報器の外観の一例を図６に示す。
【０００３】
この住宅用火災警報器１００は、警報ブザー等が鳴動される警報部１０１、煙、熱等から火災を検知する火災検知部１０２、操作スイッチとなる押釦１０３と引きひも１０４とを備えており、通常は天井面に直付けされる。
【０００４】
図７は、従来の住宅用火災警報器の回路のブロック図の一例を示している。
【０００５】
この住宅用火災警報器１００は、動作チェックを行うとき、いわゆる試験モード時は、押釦１０３または引きひも１０４を操作し、状態信号をオン状態にする。すると、火災検知回路１１２およびタイマ回路１１３へ同時にスイッチＳＷの状態信号が入力される。火災検知回路１１２は、スイッチＳＷがオン状態になっている間だけ動作チェックを実施し、正常であれば火災検知信号を警報回路１１１に送り、警報回路１１１は警報を鳴動させる。　一方、タイマ回路１１３は、スイッチＳＷがオン状態になると起動し、その後、スイッチＳＷがオフ状態になると、警報禁止保持時間ｔの間、警報回路１１１の警報出力を禁止するので、この間に、火災検知回路１１２の発報原因をなくして、自動復旧させる。ここに、警報禁止保持時間ｔとは、スイッチＳＷが、オン状態からオフ状態になったところからタイマ時間を経過するまでの間、警報出力の禁止を行う時間をいう。また、上記タイマ時間とは、タイマ回路１１３が起動してから予め設定された時間をいい、通常は５分程度に設定されている。
【０００６】
下記、特許文献１においては、復旧スイッチとデイタイマ手段を設けた住宅用火災警報器が開示されている。
【０００７】
【特許文献１】
特開平１０−１２４７６９
【発明が解決しようとする課題】
しかしながら、火災検知回路１１２の動作チェックには、ある程度の動作チェック時間が必要なため、スイッチ操作時間が、動作チェック時間より短い場合に問題が生じていた。
【０００８】
図８は、スイッチＳＷの操作時間が、動作チェック時間より長い場合のタイムチャートを示す。この場合は、動作チェックの後、警報が鳴動し、その後、タイマ回路１１３から警報出力の禁止信号が送られ、警報が鳴り止む。この場合は、動作チェックが正常に行えたかどうか確認することができる。
【０００９】
これに対して図９に、スイッチＳＷの操作時間が、動作チェック時間より短い場合のタイムチャートを示す。この場合は、動作チェックにより警報が鳴動するまでにスイッチＳＷをオフしているが、スイッチＳＷがオンした時点で既にタイマ回路１１３が、警報出力の禁止信号を警報回路１１１に送っているので警報が禁止状態になってしまう。したがって、この場合は、この住宅用火災警報器が正常であるかどうかの試験動作を確認することができず、また、スイッチＳＷがオンしていることを知らないで、ドライヤー等の熱を住宅用火災警報器に直接あてて動作試験を行っても、タイマ回路１１３からの警報出力の禁止信号によって、警報が鳴動しない状態にあるということがわからないため、（いわゆる警報禁止保持時間ｔ中であることがわからないため）ドライヤー等の熱を加えすぎて、電子回路等を破壊してしまうという過熱損傷の問題があった。
【００１０】
この対策として、タイマ回路１１３が起動するまでの時間に、火災検知回路１１２の動作チェック時間以上の遅延をもたせる方法が考えられる。
【００１１】
図１０、図１１に、この方法のタイムチャートを示す。
【００１２】
図１０は、スイッチＳＷの操作時間が、タイマ回路１１３が起動するまでの時間より長い場合のタイムチャートを示す。この場合は、動作チェックの後、警報が鳴動し、その後、タイマ回路１１３から警報出力の禁止信号が送られ、警報が鳴り止む。しかし、この場合は、動作チェックが終わってから、タイマ回路１１３が起動するように設定されているため、動作チェック時間より長く、さらにタイマ回路が起動する時間まで、スイッチＳＷを操作しなければ、一連の動作チェックができないという問題がある。
【００１３】
一方、図１１は、スイッチＳＷの操作時間が、タイマ回路１１３が起動するまでの時間より短い場合のタイムチャートを示す。この場合は、タイマ回路１１３が起動する前に、スイッチＳＷがオフ状態になってしまうため、タイマ回路１１３が起動せず、動作チェックの後、警報が鳴り止まないという問題がある。
【００１４】
本発明は、上記事情を考慮してなされたものであり、スイッチＳＷがオンとなり、かつ、火災検知信号が出力されている状態において、はじめてタイマ回路を起動する回路構成を有した住宅用火災警報器を提供することを目的としている。
【００１５】
なお、図８から図１１の図中に示す、（ａ）はスイッチＳＷの状態信号を表し、（ｂ）はタイマ回路１１３が起動状態を表し、（ｃ）は通常時の警報動作を表し、（ｄ）は火災検知時の警報動作を表し、またｔは警報禁止保持時間、ｔ’はタイマ時間を表している。
【００１６】
【課題を解決するための手段】
上記目的を達成するために、本発明の請求項１に記載の住宅用火災警報器では、操作スイッチと、熱や煙によって火災を検知し、火災検知信号を出力する火災検知回路と、火災検知回路からの火災検知信号を受けて警報を出力する警報回路と、予め設定されたタイマ時間を計時するタイマ回路とを備え、操作スイッチを操作し、その操作が解除された後、タイマ回路がタイマ時間を経過するまでの間は、警報回路からの警報出力を禁止保持するようにした住宅火災警報器において、操作スイッチがオンとなり、かつ火災検知回路が火災検知信号が出力されている状態において、はじめてタイマ回路を起動するとともに、操作スイッチの操作がオフになったときからタイマ時間が経過するまでの間は、警報回路からの警報出力を禁止保持する警報出力制御回路を備えた構成にしている。
【００１７】
請求項２に記載の住宅用火災警報器では、警報出力制御回路は、操作スイッチからのオン、オフ信号と、火災検知回路からの火災検知信号とを入力するタイマ起動回路と、操作スイッチからのオン、オフ信号と、タイマ回路からのタイマ保持信号とを入力する警報禁止保持回路とを組み合わせて構成されている。
【００１８】
請求項３に記載の住宅用火災警報器は、操作スイッチは、火災警報器のヘッド部に設けた引き紐の引き操作によって、オン、オフ状態に切替えられる構成にしている。
【００１９】
請求項４に記載の住宅用火災警報器は、操作スイッチは、火災警報器のヘッド部に設けた押しボタンの押圧操作によって、オン、オフ状態に切替えられる構成にしている。
【００２０】
請求項５に記載の住宅用火災警報器は、操作スイッチは、火災警報器のヘッド部に設けた自己復帰式のスライドスイッチの操作によって、オン、オフ状態に切替えられる構成にしている。
【００２１】
【発明の実施の形態】
以下に、本発明の実施の形態について、図面とともに説明する。
【００２２】
図１は、本発明の住宅用火災警報器１の回路ブロック図の一例を示している。住宅用火災警報器１は、１００Ｖの商用電源からの電源供給を受けるための差込みプラグを備えた電源回路１０と、火災検知回路が火災を検知したときに警報を出力する警報回路１１と、熱や煙によって火災を検知する火災検知回路１２と、操作スイッチＳＷからオン、オフ信号とタイマ回路１４からのタイマ保持信号とを入力する警報禁止保持回路１３と、タイマ起動回路１５からタイマ起動信号を受けると、予め設定されたタイマ時間を計時するタイマ回路１４と、操作スイッチＳＷからのオン信号と火災検知回路からの火災検知信号とを受けると起動するタイマ起動回路１５とを備えている。
【００２３】
警報禁止保持回路１３は、操作スイッチＳＷがオフ状態になった場合に、警報を停止し、さらに、警報禁止保持時間ｔを経過するまでの間は、警報禁止を保持する働きをする。
【００２４】
この警報禁止保持回路１３とタイマ起動回路１５とを組み合わせて警報出力制御回路Ａが構成されている。
【００２５】
電源の供給は、他に、内部アダプタによって、電源変換してもよいし、電池で作動させるようにしてもよい。
【００２６】
住宅用火災警報器１は、そのヘッド部に設けた引きひもの引き操作か、押釦の押圧操作、もしくは、自己復帰式のスライドスイッチをスライドさせることによって、操作スイッチＳＷがオン状態になる。逆に、スイッチＳＷをオフ状態にするには、引きひもの引き操作や、押釦の押圧を解除する。スライドスイッチは、スライドさせて縮んだばねがゆっくりと復帰してオフ状態になる。
【００２７】
住宅用火災警報器１の動作チェックを行う場合は、まず、引き紐、押釦、もしくは、スライドスイッチを操作し、状態信号をオン状態にする。すると、火災検知回路１２とタイマ起動回路１５へ同時にスイッチＳＷの状態信号が入力される。このとき、スイッチＳＷの操作時間によって、後の回路の動作がかわってくる。以下、タイムチャートを示しながら説明する。
【００２８】
図２は、スイッチＳＷの操作時間が動作チェック時間より長い場合のタイムチャートを示している。この場合、火災検知回路１２では、スイッチＳＷがオン状態になると動作チェックを開始する。動作チェックが正常な場合は、火災検知信号が、警報回路１１とタイマ起動回路１５とへ入力される。火災検知信号を受けた警報回路１１は、ブザー等にて警報を出力させる。一方、タイマ起動回路１５は、スイッチＳＷのオン信号と火災検知信号とを受け取ると、タイマ回路１４を起動させる。タイマ回路１４は、タイマ時間ｔ’を計時し始め、警報禁止保持回路１３へタイマ保持信号を送る。スイッチＳＷがオフ状態になると、オフ信号を受けた警報禁止保持回路１３は、警報禁止保持時間ｔだけ、警報回路１１の警報出力を禁止させるので、この間に火災検知回路１２の発報原因をなくして、自動復旧させる。したがって、使用者は意識をしない状態でスイッチＳＷがオンしている場合でも、警報動作と同時にタイマ回路１４が起動するため、そのときの警報音によって警報禁止状態にあることが分かり、ドライヤー等で熱を加えるようなことが防止される。
【００２９】
一方、図３は、スイッチＳＷの操作時間が動作チェック時間より短い場合のタイムチャートを示している。この場合、火災検知回路１２では、スイッチＳＷがオン状態になると図２の場合と同様に動作チェックを開始する。しかし、動作チェック中にオフ状態になるため、動作チェックは停止し、火災検知信号が出力されず、タイマ起動回路１５も起動しない。したがって、従来とは違って、スイッチＳＷの操作時間が動作チェック時間より短い場合には、警報禁止保持回路１３による警報禁止信号が出力されない構成となっており、機能が作用するため、前述の問題は解消される。
【００３０】
よって、本発明によれば、スイッチ操作時間が動作チェック時間より短い場合には、警報禁止保持回路１３は、警報出力を禁止することがないため、ドライヤー等で熱を加えることによって、警報動作のチェックすることができる。
【００３１】
図４では、警報出力中に、スイッチＳＷの操作時間が長い場合のタイムチャートを示している。ここでは、警報動作中なので、スイッチＳＷ操作がオン状態になると同時に、タイマ起動回路１５がタイマ回路１４を起動させ、タイマ回路１４がタイマ時間ｔ’を計時し始める。スイッチＳＷ操作がオフ状態になると、警報禁止保持回路１３から、禁止信号が警報回路１１に入力され、警報停止保持時間中ｔは警報が禁止される。
【００３２】
一方、図５は、警報出力中に、スイッチＳＷの操作時間が短い場合のタイムチャートを示している。ここでは、図４と同じように、警報動作中なので、スイッチＳＷ操作がオン状態になると同時に、タイマ起動回路１５がタイマ回路１４を起動させ、スイッチＳＷ操作がオフ状態になると、警報禁止保持回路１３から、禁止信号が警報回路１１に入力され、警報禁止保持時間中ｔは、警報が禁止される。
【００３３】
よって、本発明によれば、調理等の一過性の煙、熱によって、火災検知回路１２が反応し、警報が鳴動しても、警報動作中なので、スイッチ操作と同時にタイマ起動回路１５が起動するため、スイッチ操作の時間の長短にかかわらず、スイッチがオフ状態になった時点で、確実かつ速やかに警報出力を禁止させることができる。
【００３４】
なお、図２から図５の図中に示す（ａ）はスイッチＳＷの状態信号を表し、（ｂ）はタイマ回路１１３の起動状態を表し、（ｃ）は警報動作を表し、ｔは警報出力禁止保持時間、ｔ’はタイマ時間をタイムチャートで表している。
【００３５】
【発明の効果】
以上の説明からも理解できるように、本発明によれば、スイッチの操作時間が短い場合には、タイマ起動回路が起動されないので、警報出力が禁止されることがない。このため、ドライヤー等で熱を加えても、警報が出力されるので、過熱損傷の問題が解消される。
【００３６】
また、本発明によれば、調理等の一過性の煙、熱によって、火災検知回路が反応し、警報が鳴動した場合は、警報動作中なので、スイッチ操作と同時にタイマ起動回路が起動する。このため、スイッチ操作の時間の長短にかかわらず、スイッチがオフ状態になった時点で、確実かつ速やかに警報出力を禁止させることができる。
【００３７】
更に、使用者が意識しない状態で、スイッチＳＷがオンしている場合にも、警報動作と同時にタイマ回路が起動するため、そのときの警報音によって警報禁止状態にあることが分かるので、ドライヤー等で熱を加えて、不用意に熱損傷させることも防止できる。
【図面の簡単な説明】
【図１】本発明の住宅用火災警報器の回路ブロック図
【図２】スイッチの操作時間が動作チェック時間より長い場合の基本動作を示すタイムチャート
【図３】スイッチの操作時間が動作チェック時間より短い場合の基本動作を示すタイムチャート
【図４】警報出力中で、スイッチの操作時間が長い場合の基本動作を示すタイムチャート
【図５】警報出力中で、スイッチの操作時間が短い場合の基本動作を示すタイムチャート
【図６】従来の住宅用火災警報器の外観の一例
【図７】従来の住宅用火災警報器の回路のブロック図
【図８】従来の住宅用火災警報器において、スイッチの操作時間が、動作チェック時間より長い場合の基本動作を示すタイムチャート
【図９】従来の住宅用火災警報器において、スイッチの操作時間が、動作チェック時間より短い場合の基本動作を示すタイムチャート
【図１０】従来の住宅用火災警報器において、スイッチの操作時間が、動作チェック時間より長く、タイマ起動の遅延時間を持たせた場合の基本動作を示すタイムチャート
【図１１】従来の住宅用火災警報器において、スイッチの操作時間が、動作チェック時間より短く、タイマ起動の遅延時間を持たせた場合の基本動作を示すタイムチャート
【符号の説明】
１・・・住宅用火災警報器
１０・・・電源回路
１１・・・警報回路
１２・・・火災検知回路
１３・・・警報禁止保持回路
１４・・・タイマ回路
１５・・・タイマ起動回路
ｔ・・・警報禁止保持時間
ｔ’・・・タイマ時間
【図１】
2004118435.tif 000003
【図２】
2004118435.tif 000004
【図３】
2004118435.tif 000005
【図４】
2004118435.tif 000006
【図５】
2004118435.tif 000007
【図６】
2004118435.tif 000008
【図７】
2004118435.tif 000009
【図８】
2004118435.tif 000010
【図９】
2004118435.tif 000011
【図１０】
2004118435.tif 000012
【図１１】
2004118435.tif 000013